(57)【要約】【課題】  放熱性能に優れ、ユーザがカメラを保持する際に普段接触する外装筐体の温度上昇を抑制するよう構成した撮像装置を提供することである。【解決手段】  第１の外装部材および第２の外装部材を有する撮像装置本体部と、表示部と、撮像装置本体部と表示部とが相対的に回動移動が可能になるよう連結された連結部と、制御基板と、 制御基板と熱的に結合した熱伝導部材と、を有する撮像装置において、第１の外装部材は樹脂材で形成し、且つ表示部に隣接して配置された操作部を備え、第２の外装部材は金属部材で形成し、且つ連結部の回転移動により露出可能な第２の外装部材準外観部および撮影光軸方向から見て第１の外装部材と重なる第２の外装部材準外観部を延伸させた第２の外装部材延伸部を備えたこと。【選択図】図３
2018128556.tif 000002
【特許請求の範囲】
【請求項１】
第１の外装部材（１０７ｙ）および第２の外装部材（１０７ｆ）を有する撮像装置本体部（１０１）と、 
表示部（１０８）と、 
前記撮像装置本体部（１０１）と前記表示部（１０８）とが相対的に回動移動が可能になるよう連結された連結部（３０１）と、 
制御基板（１）と、 
前記制御基板（１）と熱的に結合した熱伝導部材（５００）と、 
を有する撮像装置（１００）において 
前記第１の外装部材（１０７ｙ）は樹脂材で形成し、且つ前記表示部（１０８）に隣接して配置された操作部（１０７ｃ）を備え、
前記第２の外装部材（１０７ｆ）は金属部材で形成し、且つ前記連結部（３０１）の回転移動により露出可能な第２の外装部材準外観部（１０７ｚ）および撮影光軸方向から見て前記第１の外装部材（１０７ｙ）と重なる第２の外装部材準外観部（１０７ｚ）を延伸させた第２の外装部材延伸部（１０７ｆａ）を備えたことを特徴とする撮像装置（１００ ）。
【請求項２】
前記操作部（１０７ｃ）の押下操作を検出する操作基板（１０７ｅ）は、
前記第２の外装部材延伸部（１０７ｆａ）で当接するよう配置したことを特徴とする請求項１に記載の撮像装置。
【請求項３】
前記操作基板（１０７ｅ）を支持する操作基板支持部材（１０７ｄ）と前記第２の外装部材延伸部（１０７ｆａ）とが
操作基板支持部材当接部（１０７ｄａ）で当接するよう配置したことを特徴とする請求項１または２に記載の撮像装置。
【請求項４】
前記熱伝導部材（５００）は撮影光軸方向から見て前記第２の外装部材準外観部（１０７ｚ）と重なるよう当接する熱伝導部材当接部（５００ｚ）を有し且つ前記操作部（１０７ｃ）を重なる領域では当接しないよう構成したことを特徴とする請求項１乃至３のいずれか１項に記載の撮像装置。
【発明の詳細な説明】
【技術分野】
【０００１】
本発明は、表示部と撮像装置本体とが相対的に回動可能な回動機構を用いた撮像装置に関する。
【背景技術】
【０００２】
レンズ交換式カメラといった重量が大きいカメラではユーザがカメラを保持し易いよう、エラストマーのような摩擦力が大きく弾性を有する第１の樹脂部材と、ポリカーボネートのような機械的強度が優れた第２の樹脂部材を二層構造にして外装筐体を構成している。前記外装筐体は熱伝導率が低く、カメラ内部の制御基板から発生した熱を前記外装筐体で放熱することは困難である。 その為、制御基板の温度が上昇し、機器が誤動作する不都合や制御基板内の電子部品群が熱によって破壊にいたる場合もある。
【０００３】
そこで特許文献１のように電子部品群が発生する熱を、筐体内に配置された熱伝導部材および互いに直交する２つの回転軸を有する連結部を経由して第２の筐体（表示部）へ熱を伝達および放熱させる機構が提案されている。
【先行技術文献】
【特許文献】
【０００４】
【特許文献１】特許05187142号公報
【発明の概要】
【発明が解決しようとする課題】
【０００５】
ところが近年表示部を有する第２の筐体も表示部から生じる熱によって高温になってしまい、第２の筐体への伝熱が出来ず、別の放熱構造が必要になってきた。
【０００６】
上記課題を鑑みて、本発明の目的は制御基板の温度上昇を抑制し、且つユーザがカメラを保持する際にユーザの手に接触する外装筐体の温度上昇を抑制するよう構成した撮像装置を提供することである。 
【課題を解決するための手段】
【０００７】
第１の外装部材（１０７ｙ）および第２の外装部材（１０７ｆ）を有する撮像装置本体部（１０１）と、 
表示部（１０８）と、 
前記撮像装置本体部（１０１）と前記表示部（１０８）とが相対的に回動移動が可能になるよう連結された連結部（３０１）と、 
制御基板（１）と、 
前記制御基板（１）と熱的に結合した熱伝導部材（５００）と、 
を有する撮像装置（１００）において 
前記第１の外装部材（１０７ｙ）は樹脂材で形成し、且つ前記表示部（１０８）に隣接して配置された操作部（１０７ｃ）を備え、
前記第２の外装部材（１０７ｆ）は金属部材で形成し、且つ前記連結部（３０１）の回転移動により露出可能な第２の外装部材準外観部（１０７ｚ）および撮影光軸方向から見て前記第１の外装部材（１０７ｙ）と重なる第２の外装部材準外観部（１０７ｚ）を延伸させた第２の外装部材延伸部（１０７ｆａ）を備えたことを特徴とする。 
【発明の効果】
【０００８】
本発明によれば、表示部（１０８）が前記連結部（３０１）の回転移動により露出可能な第２の外装部材準外観部（１０７ｚ）である第２の外装部材（１０７ｆ）を金属部材に、ユーザがカメラ保持の際に使用する第１の外装部材（１０７ｙ）を樹脂部材で構成し、ユーザの手が頻繁に接触する箇所への熱伝導を抑制しつつ、ユーザが普段接触しない箇所で放熱することで効率よく放熱することができる。
【図面の簡単な説明】
【０００９】
【図１】本実施例のカメラ１００の被写体側から見た外観斜視図
【図２】本実施例のカメラ１００の撮影者側から見た外観斜視図
【図３】本実施例のカメラ１００の分解斜視図
【図４】本実施例の熱伝導部材ユニット５００の斜視図
【図５】本実施例の背面カバーユニット１０７の分解斜視図
【図６】本実施例のカメラ１００の断面図
【発明を実施するための形態】
【００１０】
［実施例１］
以下に、本発明の好ましい実施の形態を、添付の図面に基づいて詳細に説明する。
201702061015100660__________0172682-01__________________APH_0
は、本発明の撮像装置の実施形態の一例であるデジタルカメラ１００を正面側（被写体側）から見た斜視図である。
【００１１】
図２（ａ）及び図２（ｂ）は、本発明の撮像装置の実施形態の一例であるデジタルカメラ１００を背面側（撮影者側）から見た斜視図である。
【００１２】
本実施形態のデジタルカメラ１００は、
201702061015100660__________0172682-01__________________APH_1
に示すように、正面側カバー１０２、背面側カバーユニット１０７、上面側カバー１０６、右面側カバー１０４、及び底面側カバー１０５によりカメラ本体１０１の外装を形成している。カメラ本体１０１の正面側には、撮影レンズ１０３が設けられている。また、カメラ本体１０１の上面部には、電源レバー１０９、モードダイアル１１０、露出補正ダイアル１１１、サブダイアル１１２、メインダイアル１１３、レリーズボタン１１４及びポップアップ式のストロボユニット１１５が設けられている。
【００１３】
図２（ａ）及び図２（ｂ）に示すようにカメラ本体１０１の背面側には、ＬＣＤ等の表示ユニット１０８がカメラ本体１０１に対して開閉方向に回動可能な連結部３０１を介して支持されている。図２（ａ）は表示ユニット収納状態を、図２（ｂ）は表示ユニット１０８を連結部３０１で回動させた状態の一例を示している。背面カバーユニット１０７には連結部３０１を回動させることで露出する背面カバーユニット準外観部１０７ｚが設けられている。
【００１４】
背面カバーユニット準外観部１０７ｚは図２（ａ）に示した表示ユニット１０８が収納された状態であっても表示部ユニット１０８と背面カバーユニット準外観部１０７ｚ間、および連結部３０１と背面カバーユニット準外観部１０７ｚ間で所定の隙間を設けており、外気に触れるよう構成されている。したがって背面カバーユニット準外観部１０７ｚで放熱が可能となっている。
【００１５】
図３は本発明の撮像装置の実施形態の一例であるデジタルカメラ１００の背面カバーユニット１０７周辺の分解斜視図である。図３に示すようにカメラ本体１０１は熱伝導部材ユニット５００および背面カバーユニット１０７と制御基板１を有する。背面カバーユニット１０７を背面カバーユニット締結部１０７ｚａでビス２を使用して熱伝導部材ユニット５００に締結することでカメラ本体１０１に固定される。
【００１６】
熱伝導部材ユニット５００は熱伝導ゴム５０１、第１の金属シャーシ５０２、第２の金属シャーシ５０３で構成されている。熱伝導ゴム５０１はカメラ本体１０１内に配置された制御基板１および第１の金属シャーシ５０２それぞれに当接している。
【００１７】
制御基板１で発生した熱は熱伝導ゴム５０１をｚ軸方向に伝わり、第１の金属シャーシ５０２のｚ軸方向およびｚ軸に垂直な面方向に拡散する。第１の金属シャーシ５０２は熱伝導率の高い銅材やアルミ材を使用することで、熱を分散させることができる。さらに、前記第１の金属シャーシ５０２で拡散した熱は同様に第２の金属シャーシ５０３をｚ軸方向およびｚ軸に垂直な面方向に伝わる。本発明では第２の金属シャーシ５０３にステンレス鋼を使用しており、熱を分散させることができる。
【００１８】
図４は熱伝導部材ユニット５００の斜視図である。熱伝導部材ユニット５００には熱伝導部材当接部５００ｚを設けている。熱伝導部材当接部５００ｚで背面カバーユニット１０７と熱伝導部材ユニット５００が当接する。
【００１９】
図５は背面カバーユニット１０７の分解斜視図である。背面カバーユニット１０７は
第１の外装部材１０７ｙ、操作ボタン１０７ｃ、操作基板１０７ｅ、操作基板支持部材１０７ｄ、第2の外装部材１０７ｆから構成される。第２の外装部材１０７ｆは連結部３０１の回動によって露出可能な背面カバーユニット準外観部１０７ｚが設けられている。
【００２０】
第１の外装部材１０７ｙはユーザがカメラを保持し易いような効果が得られるエラストマーといった摩擦力が大きく弾性を有する第１の樹脂部材１０７ａと、第２の樹脂部材１０７ｂはポリカーボネートといった材料を用い機械的強度を確保した二層構造で構成される。また操作基板１０７ｅは制御基板１と電気的に接続する。
【００２１】
熱伝導部材当接部５００ｚはｚ軸方向（撮影光軸方向）から見て背面カバーユニット準外観部１０７ｚと重なるよう設けられ、第２の外装部材１０７ｆに当接している。
上記構成により制御基板１の熱を熱伝導部材ユニット５００で分散させ温度を下げつつ、背面カバーユニット準外観部１０７ｚに熱を伝導させている。第2の外装部材１０７ｆは熱伝導性が良い金属部材を用いている。本実施例ではアルミ材を使用しておりｚ軸に垂直な面方向に熱を拡散させつつ、背面カバーユニット準外観部１０７ｚで放熱することができる。
【００２２】
図６はデジタルカメラ１００の断面図である。第２の外装部材１０７ｆはｚ軸方向から見て操作基板１０７ｅおよび操作基板支持部材１０７ｄと重なるように延伸された第２の外装部材延伸部１０７ｆａが設けられている。操作基板支持部材１０７ｄと第２の外装部材１０７ｆは操作基板支持部材当接部１０７ｄａで当接している。背面カバーユニット準外観部１０７ｚで放熱させつつ操作基板支持部材１０７ｄへ熱を拡散させている。また操作ボタン１０７ｃの操作加重を第２の外装部材延伸部１０７ｆａで支持している。
【００２３】
さらに第２の外装部材延伸部１０７ｆａと熱伝導部材ユニット５００とは当接しないよう離して配置をすることで熱伝導部材ユニット５００の熱が背面カバーユニット準外観部１０７ｚを経由して伝わるよう構成している。また操作基板支持部材１０７ｄを廃止して操作基板１０７ｅを直接第２の外装部材延伸部１０７ｆａで支持するよう構成してもよい。上記構成をとることでデジタルカメラ１００は操作基板１０７ｅ部分でｚ軸方向への小型化ができる。
【００２４】
また図３に示す背面カバーユニット締結部１０７ｚａは可能な限り凹形状で構成することで、ビス２が第２の外装部材１０７ｆの表面に対して奥まるようにしている。背面カバーユニット締結部１０７ｚａおよびビス２は熱伝導部材ユニット５００の熱が直接伝導する部材であり、背面カバーユニット準外観部１０７ｚの中で最も高温になる箇所である。ユーザが触ってしまった場合に不快感を生じさせないよう構成している。
【００２５】
上記構成をとることにより、制御基板１の温度上昇を抑制することで機器の誤動作を防ぎ、熱伝導部材ユニット５００の熱が直接に操作基板支持部材１０７ｄおよび操作基板１０７ｅに伝わることを防ぐことでユーザの手が常に接触する第１の外装部材１０７ｙの過度な温度上昇を抑制しながらも熱の分散と放熱ができる。また第１の外装部材１０７ｙは熱伝導率の低い樹脂材を使用しているため、さらに第１の外装部材１０７ｙの温度上昇を抑制する効果が得られる。
【符号の説明】
【００２６】
第１の外装部材（１０７ｙ）
第２の外装部材（１０７ｆ）
撮像装置本体部（１０１）
表示部（１０８）
連結部（３０１）
制御基板（１）
熱伝導部材（５００）
操作部（１０７ｃ）
第２の外装部材準外観部（１０７ｚ）
第２の外装部材延伸部（１０７ｆａ）
【図１】
2018128556.tif 000003
【図２】
2018128556.tif 000004
【図３】
2018128556.tif 000005
【図４】
2018128556.tif 000006
【図５】
2018128556.tif 000007
【図６】
2018128556.tif 000008